(57)【要約】【課題】簡素な構成で適正に高周波を重畳する。【解決手段】ＤＶＤプレーヤ１００のＤＳＰ３２は、ＬＤ１１に対して、予め設定された電流値である基準電流値Ｉ０の直流電流を印加する直流印加部３２１と、ＬＤ１１に対して、直流印加部３２１から印加される直流電流に重畳して、予め設定された周波数で、予め設定された振幅値Ｉｗの振幅を有する高周波電流を印加する高周波印加部３２２と、高周波印加部３２２によって高周波電流が印加される場合に、直流印加部３２１に対して、基準電流値Ｉ０を予め設定された補正電流値ΔＩ０だけ減少させる補正実行部３２４と、を備えている。【選択図】図２
2009104697.tif 000002
【特許請求の範囲】
【請求項１】
光ディスクにレーザ光を照射するＬＤ（Ｌａｓｅｒ  Ｄｉｏｄｅ）を介して、光ディスクに記録された情報を再生する光ディスク再生装置であって、
前記ＬＤに対して、予め設定された電流値である基準電流値の直流電流を印加する直流印加手段と、
前記ＬＤに対して、前記直流印加手段から印加される直流電流に重畳して、予め設定された周波数で、予め設定された振幅値の振幅を有する高周波電流を印加する高周波印加手段と、
前記高周波印加手段によって高周波電流が印加される場合に、前記直流印加手段に対して、前記基準電流値を予め設定された補正電流値だけ減少させる補正実行手段と、
を備えることを特徴とする光ディスク再生装置。
【請求項２】
前記基準電流値、前記高周波電流の振幅値、及び、前記ＬＤの定格電流値に基づいて、前記補正電流値を設定する補正値設定手段を備え、
前記補正実行手段は、前記補正値設定手段によって設定された補正電流値だけ前記基準電流値を減少させることを特徴とする請求項１に記載の光ディスク再生装置。
【請求項３】
前記補正値設定手段は、前記基準電流値と前記高周波電流の振幅値との和から前記補正電流値を減じた差である最大電流値を求め、前記ＬＤの定格電流値から前記最大電流値を減じた差が、予め設定された第１閾値以上とするべく前記補正電流値を設定することを特徴とする請求項２に記載の光ディスク再生装置。
【請求項４】
前記補正値設定手段は、前記最大電流値から前記基準電流値を減じた差が、予め設定された第２閾値以上とするべく前記補正電流値を設定することを特徴とする請求項３に記載の光ディスク再生装置。
【請求項５】
前記補正値設定手段は、前記高周波電流の振幅値と前記補正電流値との和を前記基準電流値から減じた差である最小電流値を求め、前記ＬＤの閾値電流値から前記最小電流値を減じた差が、予め設定された第３閾値以上とするべく前記補正電流値を設定することを特徴とする請求項１〜請求項４のいずれかに記載の光ディスク再生装置。
【発明の詳細な説明】
【技術分野】
【０００１】
本発明は、光ディスクにレーザ光を照射するＬＤ（Ｌａｓｅｒ  Ｄｉｏｄｅ）を介して、光ディスクに記録された情報を再生する光ディスク再生装置に関する。特に、ＤＶＤ（Ｄｉｇｉｔａｌ  Ｖｅｒｓａｔｉｌｅ  Ｄｉｓｋ）に記録された情報を再生するＤＶＤプレーヤに関する。
【背景技術】
【０００２】
近年、デジタル技術の進展に伴い、音楽、映像及びソフトウェア等の情報を記録するための媒体として、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）等の光ディスクを記録媒体とする光ディスク再生装置が普及している。この光ディスク再生装置では、ＬＤ（Ｌａｓｅｒ  Ｄｉｏｄｅ）等の光源からレーザ光を出射し、トラックが同心円状に形成された光ディスクの記録層からの反射光に基づいて情報の再生を行っている。
【０００３】
また、上記光ディスク再生装置では、光ディスクからの反射光によりＬＤにノイズが発生する。このようなＬＤのノイズ低減方法としては、ＬＤの駆動電流に高周波の交流電流を重畳してＬＤを駆動する高周波重畳方法が提案されている。例えば、半導体レーザの出射光量の一部を検出する光検出手段と、前記光検出手段の検出量を所定値に保つよう前記半導体レーザを駆動するレーザ駆動手段と、情報の再生時に前記半導体レーザを駆動する電流に高周波電流を重畳する高周波重畳手段と、情報の再生時に前記半導体レーザの駆動状態に応じた前記高周波電流の振幅を決定し、前記決定した振幅を有する高周波電流が重畳するように前記高周波重畳手段を制御する高周波重畳制御手段と、を具備した光ディスク装置が開示されている（特許文献１参照）。この光ディスク装置によれば、高周波電流の振幅を必要最小限にすることによって消費電力を低くし、且つ、不要輻射を低減することができる。
【特許文献１】特開２００３−３０８６２４号公報
【発明の開示】
【発明が解決しようとする課題】
【０００４】
しかしながら、上記光ディスク装置では、高周波電流の適正な振幅値を求めることが容易ではなく、例えば、収束計算等を行う必要がある（特許文献１の図５参照）ため、複雑な処理が必要であった。
【０００５】
上記の課題に鑑みて、本発明は、簡素な構成で適正に高周波を重畳することの可能な光ディスク再生装置を提供することを目的としている。
【課題を解決するための手段】
【０００６】
上記目的を達成するために請求項１に記載の光ディスク再生装置は、光ディスクにレーザ光を照射するＬＤ（Ｌａｓｅｒ  Ｄｉｏｄｅ）を介して、光ディスクに記録された情報を再生する光ディスク再生装置であって、前記ＬＤに対して、予め設定された電流値である基準電流値の直流電流を印加する直流印加手段と、前記ＬＤに対して、前記直流印加手段から印加される直流電流に重畳して、予め設定された周波数で、予め設定された振幅値の振幅を有する高周波電流を印加する高周波印加手段と、前記高周波印加手段によって高周波電流が印加される場合に、前記直流印加手段に対して、前記基準電流値を予め設定された補正電流値だけ減少させる補正実行手段と、を備えることを特徴としている。
【０００７】
請求項２に記載の光ディスク再生装置は、請求項１に記載の光ディスク再生装置であって、前記基準電流値、前記高周波電流の振幅値、及び、前記ＬＤの定格電流値に基づいて、前記補正電流値を設定する補正値設定手段を備え、前記補正実行手段が、前記補正値設定手段によって設定された補正電流値だけ前記基準電流値を減少させることを特徴としている。
【０００８】
請求項３に記載の光ディスク再生装置は、請求項２に記載の光ディスク再生装置であって、前記補正値設定手段が、前記基準電流値と前記高周波電流の振幅値との和から前記補正電流値を減じた差である最大電流値を求め、前記ＬＤの定格電流値から前記最大電流値を減じた差が、予め設定された第１閾値以上とするべく前記補正電流値を設定することを特徴としている。
【０００９】
請求項４に記載の光ディスク再生装置は、請求項３に記載の光ディスク再生装置であって、前記補正値設定手段が、前記最大電流値から前記基準電流値を減じた差が、予め設定された第２閾値以上とするべく前記補正電流値を設定することを特徴としている。
【００１０】
請求項５に記載の光ディスク再生装置は、請求項１〜請求項４のいずれかに記載の光ディスク再生装置であって、前記補正値設定手段が、前記高周波電流の振幅値と前記補正電流値との和を前記基準電流値から減じた差である最小電流値を求め、前記ＬＤの閾値電流値から前記最小電流値を減じた差が、予め設定された第３閾値以上とするべく前記補正電流値を設定することを特徴としている。
【発明の効果】
【００１１】
請求項１に記載の光ディスク再生装置によれば、ＬＤに対して、予め設定された電流値である基準電流値の直流電流が印加されると共に、印加される直流電流に重畳して、予め設定された周波数で、予め設定された振幅値の振幅を有する高周波電流が印加される。そして、高周波電流が印加される場合に、基準電流値が予め設定された補正電流値だけ減少されるため、簡素な構成で適正に高周波を重畳することができる。
【００１２】
すなわち、高周波電流が印加される場合に、基準電流値が予め設定された補正電流値だけ減少されるため、補正電流値を適正な値に設定することによって、簡素な構成で適正に高周波を重畳することができるのである。
【００１３】
請求項２に記載の光ディスク再生装置によれば、基準電流値、高周波電流の振幅値、及び、ＬＤの定格電流値に基づいて、補正電流値が設定され、設定された補正電流値だけ基準電流値が減少されるため、簡素な構成で更に適正に高周波を重畳することができる。
【００１４】
すなわち、基準電流値、高周波電流の振幅値、及び、ＬＤの定格電流値に基づいて、補正電流値が設定されるため、補正電流値を適正な値に設定することが可能となるので、簡素な構成で更に適正に高周波を重畳することができるのである。
【００１５】
請求項３に記載の光ディスク再生装置によれば、基準電流値と高周波電流の振幅値との和から補正電流値を減じた差である最大電流値が求められ、ＬＤの定格電流値から最大電流値を減じた差が、予め設定された第１閾値以上とするべく補正電流値が設定されるため、簡素な構成で更に適正に高周波を重畳することができる。
【００１６】
すなわち、基準電流値と高周波電流の振幅値との和から補正電流値を減じた差である最大電流値が求められ、ＬＤの定格電流値から最大電流値を減じた差が、予め設定された第１閾値以上とするべく補正電流値が設定されるため、最大電流値が定格電流値を超えることを確実に防止することができ、補正電流値を適正な値に設定することができるので、簡素な構成で更に適正に高周波を重畳することができるのである。
【００１７】
請求項４に記載の光ディスク再生装置によれば、最大電流値から基準電流値を減じた差が、予め設定された第２閾値以上とするべく補正電流値が設定されるため、簡素な構成で更に適正に高周波を重畳することができる。
【００１８】
すなわち、最大電流値から基準電流値を減じた差が、予め設定された第２閾値以上とするべく補正電流値が設定されるため、最大電流値を確実に基準電流値以上に設定することができ、Ｓ／Ｎ比の低下を抑制することができるので、簡素な構成で更に適正に高周波を重畳することができるのである。
【００１９】
請求項５に記載の光ディスク再生装置によれば、高周波電流の振幅値と補正電流値との和を基準電流値から減じた差である最小電流値が求められ、ＬＤの閾値電流値から最小電流値を減じた差が、予め設定された第３閾値以上とするべく補正電流値が設定されるため、簡素な構成で更に適正に高周波を重畳することができる。
【００２０】
すなわち、高周波電流の振幅値と補正電流値との和を基準電流値から減じた差である最小電流値が求められ、ＬＤの閾値電流値から最小電流値を減じた差が、予め設定された第３閾値以上とするべく補正電流値が設定されるため、高周波電流を重畳することによるノイズ低減効果を確実に発揮させることができるので、簡素な構成で更に適正に高周波を重畳することができるのである。
【発明を実施するための最良の形態】
【００２１】
以下に本発明の実施形態を、図面を参照しながら説明する。図１は、本発明に係るＤＶＤプレーヤの一例を示す構成図である。ＤＶＤプレーヤ１００（光ディスク再生装置に相当する）は、光ピックアップ１、出力装置３、制御装置４、駆動装置５、表示部６及び操作部７を備えている。
【００２２】
また、ＤＶＤプレーヤ１００は、テレビ受像機２００と通信可能に構成されている。テレビ受像機２００は、スピーカ及びモニタ（図示省略）を備え、ＤＶＤプレーヤ１００からの音声情報、映像情報等の情報を、スピーカ及びモニタを介して出力するものである。
【００２３】
光ピックアップ１は、ＬＤ（Ｌａｓｅｒ  Ｄｉｏｄｅ）１１を備え、再生する対象の光ディスク２（ここでは、ＤＶＤ）からの反射光を電気信号に変換し、光ディスク２に格納された音声情報、映像情報等の各種情報の読み取りを行うものである。ＬＤ１１は、光ディスク２（ここでは、ＤＶＤ）に格納された情報を読み取るレーザ光を光ディスク２に照射するものである。また、光ピックアップ１は、スレッドモータ５１によって、光ディスク２の径方向、及び、垂直方向（近接、離間方向）に移動可能に構成されている。
【００２４】
出力装置３は、光ピックアップ１からの音声情報、映像情報等の情報を、音声及び画像に変換して、それぞれ、テレビ受像機２００に配設された図略のスピーカ及びモニタに出力するものであって、ＲＦ（Ｒａｄｉｏ  Ｆｒｅｑｕｅｎｃｙ）アンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。ＲＦアンプ３１は、光ピックアップ１からの音声情報、映像情報等に対応する信号を増幅するものである。
【００２５】
ＤＳＰ３２及び再生処理回路３３は、ＲＦアンプ３１からの信号に対して、再生のための各種情報処理（例えば画像処理等）を施すものである。出力回路３４は、再生処理回路３３からの情報を、テレビ受像機２００に配設された図略のスピーカ及びモニタに出力するためにＤＡ変換処理等を行うものである。
【００２６】
制御装置４は、操作部７を介して受け付けた指示操作に基づいて、光ピックアップ１及び駆動装置５の動作を制御するものであって、システムコントローラ４１、及びドライバＩＣ４２を備えている。システムコントローラ４１は、操作部７からの情報を受け付けてＤＳＰ３２に伝送すると共に、ＤＳＰ３２からの情報を表示部６に伝送するものである。
【００２７】
ドライバＩＣ４２（直流印加手段の一部、及び、高周波印加手段の一部に相当する）は、ＤＳＰ３２からの指示に基づいて、光ピックアップ１及び駆動装置５の動作を制御するものである。具体的には、ドライバＩＣ４２は、光ピックアップ１に配設されたＬＤ１１に供給する電流を制御すると共に、駆動装置５を構成するスレッドモータ５１及びスピンドルモータ５２の動作を制御するものである。
【００２８】
駆動装置５は、スレッドモータ５１及びスピンドルモータ５２を備える。スレッドモータ５１は、ドライバＩＣ４２からの指示に基づいて光ピックアップ１を光ディスク２の径方向及び垂直方向に移動させるものである。スピンドルモータ５２は、ドライバＩＣ４２からの指示に基づいて光ディスク２を回転駆動するものである。
【００２９】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７は、種々の操作ボタン等を備え、ユーザからの操作を受け付けて、ＤＳＰ３２に対応する操作信号を出力するものである。
【００３０】
図２は、ＤＶＤプレーヤ１００における主要部の構成の一例を示す構成図である。ドライバＩＣ４２は、直流電流発生回路４２１、高周波電流発生回路４２２、及び、重畳回路４２３を備えている。ＤＳＰ３２は、機能的に、直流印加部３２１、高周波印加部３２２、補正値設定部３２３、及び、補正実行部３２４を備えている。
【００３１】
ここでは、ＤＳＰ３２が、図略のＲＯＭ（Ｒｅａｄ  Ｏｎｌｙ  Ｍｅｍｏｒｙ）等に予め格納されたプログラムを読み出して実行することにより、直流印加部３２１、高周波印加部３２２、補正値設定部３２３、補正実行部３２４等の機能部として機能するものである。
【００３２】
また、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ、ＤＶＤ、半導体メモリ等である。
【００３３】
直流電流発生回路４２１（直流印加手段の一部に相当する）は、直流印加部３２１からの指示に従って、予め設定された電流値である基準電流値Ｉ０（例えば、４５ｍＡ）の直流電流を発生し、発生した直流電流を重畳回路４２３へ出力するものである。ここで、基準電流値Ｉ０は、直流印加部３２１によって高周波電流が印加される場合には、補正実行部３２４によってその値が補正されるものである。
【００３４】
高周波電流発生回路４２２（高周波印加手段の一部に相当する）は、高周波印加部３２２からの指示に従って、予め設定された周波数（例えば、３００ＭＨｚ）で、予め設定された振幅値Ｉｗ（例えば、１５ｍＡ）の振幅を有する高周波電流を発生し、発生した高周波電流を重畳回路４２３へ出力するものである。
【００３５】
重畳回路４２３（高周波印加手段の一部に相当する）は、直流電流発生回路４２１から入力された基準電流値Ｉ０の直流電流に、高周波電流発生回路４２２から入力された振幅値Ｉｗの振幅を有する高周波電流を重畳し、重畳した電流をＬＤ１１に印加してＬＤ１１を駆動するものである。
【００３６】
直流印加部３２１（直流印加手段の一部に相当する）は、直流電流発生回路４２１を介して、ＬＤ１１に対して、予め設定された電流値である基準電流値Ｉ０の直流電流を印加するものである。
【００３７】
高周波印加部３２２（高周波印加手段の一部に相当する）は、高周波電流発生回路４２２及び重畳回路４２３を介して、ＬＤ１１に対して、直流印加部３２１から印加される直流電流に重畳して、予め設定された周波数で、予め設定された振幅値Ｉｗの振幅を有する高周波電流を印加するものである。
【００３８】
補正値設定部３２３（補正値設定手段に相当する）は、基準電流値Ｉ０、高周波電流の振幅値Ｉｗ、ＬＤ１１の定格電流値Ｉｍａｘ、及び、閾値電流値Ｉｓｈに基づいて、補正電流値ΔＩ０を設定するものである。
【００３９】
具体的には、補正値設定部３２３は、基準電流値Ｉ０と高周波電流の振幅値Ｉｗとの和から補正電流値ΔＩ０を減じた差である最大電流値Ｉｐ（＝Ｉ０＋Ｉｗ−ΔＩ０）を求め、ＬＤの定格電流値Ｉｍａｘから最大電流値Ｉｐを減じた差ΔＩ１が、予め設定された第１閾値Ｉｓｈ１（ただし、Ｉｓｈ１＞０）以上とするべく補正電流値ΔＩ０を設定するものである。すなわち、補正値設定部３２３は、次の（１）式（すなわち、（２）式）を満たす補正電流値ΔＩ０を設定するものである。
ΔＩ１＝Ｉｍａｘ−（Ｉ０＋Ｉｗ−ΔＩ０）≧Ｉｓｈ１      （１）
すなわち、ΔＩ０≧Ｉｓｈ１−Ｉｍａｘ＋Ｉ０＋Ｉｗ      （２）
【００４０】
例えば、基準電流値Ｉ０が４５ｍＡであり、高周波電流の振幅値Ｉｗが１５ｍＡであり、定格電流値Ｉｍａｘが６５ｍＡであり、第１閾値Ｉｓｈ１が１０ｍＡである場合には、（２）式から、次の（３）式が得られる。
ΔＩ０≧５（＝１０−６５＋４５＋１５）      （３）
【００４１】
また、補正値設定部３２３は、最大電流値Ｉｐ（＝Ｉ０＋Ｉｗ−ΔＩ０）から基準電流値Ｉ０を減じた差ΔＩ２が、予め設定された第２閾値Ｉｓｈ２（ただし、Ｉｓｈ２＞０）以上とするべく補正電流値ΔＩ０を設定するものである。すなわち、補正値設定部３２３は、次の（４）式（すなわち、（５）式）を満たす補正電流値ΔＩ０を設定するものである。
ΔＩ２＝（Ｉ０＋Ｉｗ−ΔＩ０）−Ｉ０≧Ｉｓｈ２      （４）
すなわち、ΔＩ０≦Ｉｗ−Ｉｓｈ２      （５）
【００４２】
例えば、高周波電流の振幅値Ｉｗが１５ｍＡであり、第２閾値Ｉｓｈ２が５ｍＡである場合には、（５）式から、次の（６）式が得られる。
ΔＩ０≦１０（＝１５−５）      （６）
【００４３】
更に、補正値設定部３２３は、高周波電流の振幅値Ｉｗと補正電流値ΔＩ０との和を基準電流値Ｉ０から減じた差である最小電流値Ｉｑ（＝Ｉ０−Ｉｗ−ΔＩ０）を求め、ＬＤの閾値電流値Ｉｓｈから最小電流値Ｉｑを減じた差ΔＩ３が、予め設定された第３閾値Ｉｓｈ３（ただし、Ｉｓｈ３＞０）以上とするべく補正電流値ΔＩ０を設定するものである。すなわち、補正値設定部３２３は、次の（７）式（すなわち、（８）式）を満たす補正電流値ΔＩ０を設定するものである。
ΔＩ３＝Ｉｓｈ−（Ｉ０−Ｉｗ−ΔＩ０）≧Ｉｓｈ３      （７）
すなわち、ΔＩ０≧Ｉｓｈ３−Ｉｓｈ＋Ｉ０−Ｉｗ      （８）
【００４４】
例えば、基準電流値Ｉ０が４５ｍＡであり、高周波電流の振幅値Ｉｗが１５ｍＡであり、閾値電流値Ｉｓｈが４０ｍＡであり、第３閾値Ｉｓｈ３が１０ｍＡである場合には、（２）式から、次の（９）式が得られる。
ΔＩ０≧０（＝１０−４０＋４５−１５）      （９）
【００４５】
従って、上記の例の場合には、補正値設定部３２３によって、補正電流値ΔＩ０は、（３）式、（６）式及び（９）式より、次の（１０）式を満たす値（例えば、８ｍＡ）に設定される。
５≦ΔＩ０≦１０      （１０）
【００４６】
補正実行部３２４（補正実行手段に相当する）は、高周波印加部３２２によって高周波電流が印加される場合に、直流印加部３２１に対して、基準電流値Ｉ０を補正値設定部３２３によって設定された補正電流値ΔＩ０（例えば、８ｍＡ）だけ減少させるものである。
【００４７】
図３は、本発明に係るＤＶＤプレーヤ１００（主にＤＳＰ３２）の動作の一例を示すフローチャートである。まず、直流印加部３２１によって、基準電流値Ｉ０が設定される（Ｓ１０１）。そして、補正実行部３２４によって、高周波電流が印加されるか否かの判定が行われる（Ｓ１０３）。高周波電流が印加されないと判定された場合（Ｓ１０３でＮＯ）には、直流印加部３２１によって、直流電流発生回路４２１を介して、ＬＤ１１に対して、基準電流値Ｉ０の直流電流を印加され（Ｓ１０５）、処理が終了される。
【００４８】
高周波電流が印加されると判定された場合（Ｓ１０３でＹＥＳ）には、補正値設定部３２３によって、上記式（２）、式（５）、及び式（８）を満たす補正電流値ΔＩ０が設定される（Ｓ１０７）。そして、補正実行部３２４によって、基準電流値Ｉ０がステップＳ１０７において設定された補正電流値ΔＩ０だけ減少する補正が行われる（Ｓ１０９）。次いで、直流印加部３２１によって、直流電流発生回路４２１を介して、ＬＤ１１に対して、ステップＳ１０９において補正された基準電流値Ｉ０の直流電流が印加される（Ｓ１１１）。次に、高周波印加部３２２によって、高周波電流発生回路４２２及び重畳回路４２３を介して、ＬＤ１１に対して、直流印加部３２１から印加される直流電流に重畳して、予め設定された周波数で、予め設定された振幅値Ｉｗの振幅を有する高周波電流が印加され（Ｓ１１３）、処理が終了される。
【００４９】
図４は、補正値設定部３２３によって設定される補正電流値ΔＩ０を説明するグラフである。（ａ）は、初期の基準電流値Ｉ０及び高周波電流を示すグラフであって、（ｂ）は、補正実行部３２４によって補正された後の基準電流値Ｉ０及び高周波電流を示すグラフである。グラフの横軸は、ＬＤ１１に印加される駆動電流Ｉであり、縦軸は、ＬＤ１１の発光パワーＰＷ及び時間Ｔである。
【００５０】
（ａ）及び（ｂ）にそれぞれ示すグラフＧ１及びグラフＧ３は、ＬＤ１１の発光特性を示すグラフであって、縦軸が発光パワーＰＷである。ＬＤ１１は、グラフＧ１及びグラフＧ３に示すように、駆動電流Ｉが閾値電流値Ｉｔｈ（ここでは、４０ｍＡ）以上において、駆動電流Ｉの増加に比例して発光パワーＰＷが増大する。閾値電流値Ｉｔｈは、ＬＤ１１が発光する駆動電流Ｉの最小値である。なお、定格電流値Ｉｍａｘ（ここでは、６５ｍＡ）は、ＬＤ１１の寿命を確保するために設定された値である。すなわち、ＬＤ１１の寿命を確保するためには、駆動電流Ｉを定格電流値Ｉｍａｘ以下とするように駆動することが望ましい。
【００５１】
（ａ）及び（ｂ）にそれぞれ示すグラフＧ２及びグラフＧ４は、ＬＤ１１に印加される駆動電流Ｉを示すグラフであって、縦軸が時間Ｔである。（ａ）に示すグラフＧ２は、初期の基準電流値Ｉ０及び高周波電流を示すグラフであって、基準電流値Ｉ０（ここでは、４５ｍＡ）の直流電流に振幅値Ｉｗ（ここでは、１５ｍＡ）の高周波電流が重畳されている。この場合には、印加される駆動電流Ｉの最大値Ｉｐ０（６０ｍＡ＝４５ｍＡ＋１５ｍＡ）が、定格電流値Ｉｍａｘ（ここでは、６５ｍＡ）と近接しているため、不要輻射が発生すると共に、ＬＤ１１の寿命が短くなる虞がある。
【００５２】
（ａ）に示すグラフＧ４は、補正後の基準電流値Ｉ０（初期の基準電流値Ｉ０から補正値設定部３２３によって設定された補正電流値ΔＩ０を減じた値：ここでは、Ｉ０＝４５−８＝３７ｍＡ）及び高周波電流を示すグラフであって、基準電流値Ｉ０（ここでは、３７ｍＡ）の直流電流に振幅値Ｉｗ（ここでは、１５ｍＡ）の高周波電流が重畳されている。この場合には、印加される駆動電流Ｉの最大値Ｉｐ（ここでは、５２ｍＡ＝３７ｍＡ＋１５ｍＡ）が、定格電流値Ｉｍａｘ（ここでは、６５ｍＡ）と離間しているため、不要輻射が防止されると共に、ＬＤ１１の寿命を確保することができる。すなわち、定格電流値Ｉｍａｘから駆動電流Ｉの最大値Ｉｐを減じた差ΔＩ１（ここでは、１３ｍＡ＝６５ｍＡ−５２ｍＡ）が、充分に大きいため、不要輻射が防止されると共に、ＬＤ１１の寿命を確保することができる。
【００５３】
また、最大電流値Ｉｐ（ここでは、５２ｍＡ）から初期の基準電流値Ｉ０（ここでは、４５ｍＡ）を減じた差ΔＩ２（ここでは、７ｍＡ＝５２ｍＡ−４５ｍＡ）が充分に大きいため、基準電流値Ｉ０を補正することによるＳ／Ｎ比の低下を抑制することができる。更に、閾値電流値Ｉｓｈ（ここでは、４０ｍＡ）から印加される駆動電流Ｉの最小値Ｉｑ（ここでは、２２ｍＡ＝３７ｍＡ−１５ｍＡ）を減じた差ΔＩ３（ここでは、１８ｍＡ＝４０ｍＡ−２２ｍＡ）が充分に大きいため、高周波電流を重畳することによるノイズ低減効果を確実に発揮させることができる。
【００５４】
このようにして、ＬＤ１１に対して、予め設定された電流値である基準電流値Ｉ０（ここでは、４５ｍＡ）の直流電流が印加されると共に、印加される直流電流に重畳して、予め設定された周波数（ここでは、３００ＭＨｚ）で、予め設定された振幅値Ｉｗ（ここでは、１５ｍＡ）の振幅を有する高周波電流が印加される。そして、高周波電流が印加される場合に、基準電流値Ｉ０が予め設定された補正電流値ΔＩ０だけ減少されるため、簡素な構成で適正に高周波を重畳することができる。
【００５５】
すなわち、高周波電流が印加される場合に、基準電流値Ｉ０（ここでは、４５ｍＡ）が予め設定された補正電流値ΔＩ０だけ減少されるため、補正電流値を適正な値（ここでは、８ｍＡ）に設定することによって、簡素な構成で適正に高周波を重畳することができるのである。
【００５６】
また、基準電流値Ｉ０（ここでは、４５ｍＡ）、高周波電流の振幅値Ｉｗ（ここでは、１５ｍＡ）、及び、ＬＤ１１の定格電流値Ｉｍａｘ（ここでは、６５ｍＡ）に基づいて、補正電流値ΔＩ０が設定され、設定された補正電流値ΔＩ０だけ基準電流値Ｉ０が減少されるため、簡素な構成で更に適正に高周波を重畳することができる。
【００５７】
すなわち、基準電流値Ｉ０、高周波電流の振幅値Ｉｗ、及び、ＬＤ１１の定格電流値Ｉｍａｘに基づいて、補正電流値ΔＩ０が設定されるため、補正電流値ΔＩ０を適正な値に設定することが可能となるので、簡素な構成で更に適正に高周波を重畳することができるのである。
【００５８】
更に、基準電流値Ｉ０と高周波電流の振幅値Ｉｗとの和から補正電流値ΔＩ０を減じた差である最大電流値Ｉｐが求められ、ＬＤ１１の定格電流値Ｉｍａｘから最大電流値Ｉｐを減じた差ΔＩ１が、予め設定された第１閾値Ｉｓｈ１以上とするべく補正電流値ΔＩ０が設定されるため、簡素な構成で更に適正に高周波を重畳することができる。
【００５９】
すなわち、基準電流値Ｉ０と高周波電流の振幅値Ｉｗとの和から補正電流値ΔＩ０を減じた差である最大電流値Ｉｐが求められ、ＬＤ１１の定格電流値Ｉｍａｘから最大電流値Ｉｐを減じた差ΔＩ１が、予め設定された第１閾値Ｉｓｈ１（ここでは、１０ｍＡ）以上とするべく補正電流値ΔＩ０が設定されるため、最大電流値Ｉｐ（ここでは、５２ｍＡ）が定格電流値Ｉｍａｘ（ここでは、６５ｍＡ）を超えることを確実に防止することができ、補正電流値ΔＩ０を適正な値（ここでは、８ｍＡ）に設定することができるので、簡素な構成で更に適正に高周波を重畳することができるのである。
【００６０】
加えて、最大電流値Ｉｐから基準電流値Ｉ０を減じた差ΔＩ２が、予め設定された第２閾値Ｉｓｈ２（ここでは、５ｍＡ）以上とするべく補正電流値ΔＩ０が設定されるため、簡素な構成で更に適正に高周波を重畳することができる。
【００６１】
すなわち、最大電流値Ｉｐから基準電流値Ｉ０を減じた差ΔＩ２が、予め設定された第２閾値Ｉｓｈ２（ここでは、５ｍＡ）以上とするべく補正電流値ΔＩ０が設定されるため、最大電流値Ｉｐを確実に基準電流値Ｉ０以上に設定することができ、基準電流値Ｉ０を補正することに伴うＳ／Ｎ比の低下を抑制することができるので、簡素な構成で更に適正に高周波を重畳することができるのである。
【００６２】
また、高周波電流の振幅値Ｉｗと補正電流値ΔＩ０との和を基準電流値Ｉ０から減じた差である最小電流値Ｉｑが求められ、ＬＤ１１の閾値電流値Ｉｓｈから最小電流値Ｉｑを減じた差ΔＩ３が、予め設定された第３閾値Ｉｓｈ３（ここでは、１０ｍＡ）１０以上とするべく補正電流値ΔＩ０が設定されるため、簡素な構成で更に適正に高周波を重畳することができる。
【００６３】
すなわち、高周波電流の振幅値Ｉｗと補正電流値ΔＩ０との和を基準電流値Ｉ０から減じた差である最小電流値Ｉｑが求められ、ＬＤ１１の閾値電流値Ｉｓｈから最小電流値Ｉｑを減じた差ΔＩ３が、予め設定された第３閾値Ｉｓｈ３（ここでは、１０ｍＡ）以上とするべく補正電流値ΔＩ０が設定されるため、高周波電流を重畳することによるノイズ低減効果を確実に発揮させることができるので、簡素な構成で更に適正に高周波を重畳することができるのである。
【００６４】
なお、本発明は、以下の形態にも適用可能である。
（Ａ）本実施形態では、光ディスク再生装置が、ＤＶＤプレーヤ１００である場合について説明したが、光ディスク再生装置が、光ディスクにレーザ光を照射するＬＤ（Ｌａｓｅｒ  Ｄｉｏｄｅ）を介して、光ディスクに記録された情報を再生する装置であれば良い。例えば、光ディスク再生装置が、ＣＤプレーヤである形態でも良いし、ＣＤ又はＤＶＤに情報を記録する機能を備えたパーソナルコンピュータである形態でも良い。
【００６５】
（Ｂ）本実施形態では、ＤＳＰ３２が、直流印加部３２１、高周波印加部３２２、補正値設定部３２３、補正実行部３２４等の機能部として機能する場合について説明したが、直流印加部３２１、高周波印加部３２２、補正値設定部３２３及び補正実行部３２４の内、少なくとも１の機能部が回路等のハードウェアによって実現されている形態でも良い。
【００６６】
（Ｃ）本実施形態では、光ディスク２が、ＤＶＤである場合について説明したが、光ディスク２が他の種類の光ディスクである形態でも良い。例えば、光ディスク２が、ＣＤである形態でも良い。
【００６７】
（Ｄ）本実施形態では、補正値設定部３２３が、基準電流値Ｉ０、高周波電流の振幅値Ｉｗ、ＬＤの定格電流値Ｉｍａｘ、及び、閾値電流値Ｉｓｈに基づいて、補正電流値ΔＩ０を設定する場合について説明したが、補正値設定部３２３が、基準電流値Ｉ０、高周波電流の振幅値Ｉｗ、ＬＤの定格電流値Ｉｍａｘ、及び、閾値電流値Ｉｓｈの少なくとも１つに基づいて、補正電流値ΔＩ０を設定する形態であれば良い。
【図面の簡単な説明】
【００６８】
【図１】は、本発明に係るＤＶＤプレーヤの一例を示す構成図である。
【図２】は、ＤＶＤプレーヤにおける主要部の構成の一例を示す構成図である。
【図３】は、本発明に係るＤＶＤプレーヤ（主にＤＳＰ）の動作の一例を示すフローチャートである。
【図４】は、補正値設定部によって設定される補正電流値ΔＩ０を説明するグラフである。
【符号の説明】
【００６９】
１００    ＤＶＤプレーヤ（光ディスク再生装置）
１    光ピックアップ
１１    ＬＤ
３    出力装置
３２    ＤＳＰ
３２１    直流印加部（直流印加手段の一部）
３２２    高周波印加部（高周波印加手段の一部）
３２３    補正値設定部（補正値設定手段）
３２４    補正実行部（補正実行手段）
４    制御装置
４２    ドライバＩＣ
４２１    直流電流発生回路（直流印加手段の一部）
４２２    高周波電流発生回路（高周波印加手段の一部）
４２３    重畳回路（高周波印加手段の一部）
【図１】
2009104697.tif 000003
【図２】
2009104697.tif 000004
【図３】
2009104697.tif 000005
【図４】
2009104697.tif 000006